(57)【特許請求の範囲】
【請求項１】
便器本体と、
前記便器本体の上方に配置される洗浄水タンクと、
前記洗浄水タンクの内部に配置され、上部に開口部を有するオーバーフロー管と、
前記開口部の一方側の斜め上方から前記オーバーフロー管の内部に補給水を供給する補給水供給部と、
前記オーバーフロー管の前記開口部を開閉する蓋部材を有する開閉装置と、を備える便器洗浄装置であって、
前記開閉装置は、前記洗浄水タンクの内部に貯留された水の水位が所定水位を上回ったときに前記蓋部材が前記開口部を開放する開状態となり、前記洗浄水タンクの内部に貯留された水の水位が所定水位を下回ったときに前記蓋部材が前記開口部を閉鎖する閉状態となり、
前記開閉装置が前記開状態のときは、前記開閉装置の前記蓋部材は、前記開口部の前記一方側とは反対側の他方側に位置する便器洗浄装置。
【請求項２】
前記開閉装置は、前記洗浄水タンクの内部に貯留された水の水位に連動して前記オーバーフロー管の軸方向に移動可能なフロート部材と、前記蓋部材と前記フロート部材とを連結する連結部材と、を更に有し、
前記蓋部材は、回動軸を中心に回動可能に構成され、
前記連結部材は、前記フロート部材の上昇により、前記蓋部材が前記開口部の前記一方側を開放する開状態になるように、前記蓋部材を前記回動軸を中心に回動させ、前記フロート部材の下降により、前記蓋部材が前記開口部の前記一方側を閉鎖する閉状態になるように、前記蓋部材を前記回動軸を中心に回動させる請求項１に記載の便器洗浄装置。
【請求項３】
前記開閉装置が前記開状態のときに、前記蓋部材は、前記一方側が上方に位置するように傾斜して配置される請求項１又は２に記載の便器洗浄装置。
【請求項４】
前記開閉装置が前記開状態のときに、前記蓋部材における傾きの角度を規制する規制部を備える請求項３に記載の便器洗浄装置。
【発明の詳細な説明】
【技術分野】
【０００１】
本発明は、洗浄水タンクの内部に配置されるオーバーフロー管と、オーバーフロー管の開口部から補給水を供給する補給水供給部と、オーバーフロー管の開口部を開閉する開閉装置と、を備える便器洗浄装置に関する。
【背景技術】
【０００２】
従来、洗浄水タンクと、洗浄水タンクの内部に配置されるオーバーフロー管と、オーバーフロー管の開口部から補給水を供給する補給水供給部と、オーバーフロー管の開口部を開閉する開閉装置と、を備える補給水供給装置が知られている（例えば、特許文献１参照）。特許文献１に記載の技術においては、オーバーフロー管に供給される補給水の量を開閉装置の開閉動作により調整することで、補給水の量を、大量の洗浄水で便器の洗浄を行う大洗浄モードを実行する場合と、小量の洗浄水で便器の洗浄を行う小洗浄モードを実行する場合とで、一定にできるように構成されている。
【０００３】
特許文献１の第１実施形態においては、オーバーフロー管の開口部の真上から供給される補給水を、ドーム形状の開閉部材を移動させることで、補給水の量の調整を行っている。
特許文献１の第２実施形態においては、オーバーフロー管の開口部の斜め上方から供給される補給水を、上下方向に延びる開閉部材を上下方向に移動させることで、補給水の量の調整を行っている。
【先行技術文献】
【特許文献】
【０００４】
【特許文献１】特開２０１３−９６２１３号公報
【発明の概要】
【発明が解決しようとする課題】
【０００５】
特許文献１の第１実施形態では、補給水供給部の供給口をオーバーフロー管の開口部の真上に配置するため、高さ方向に大きくなってしまう。
また、特許文献１の第２実施形態では、補給水を供給する場合に、補給水が開閉部材の周縁に当たり、補給水の飛沫の飛散が多くなってしまう。
【０００６】
本発明は、オーバーフロー管に供給する補給水の量を調整可能な構成を備え、高さ方向の設計の自由度を向上できると共に、補給水を供給する際の補給水の飛沫の飛散を低減できる便器洗浄装置を提供することを目的とする。
【課題を解決するための手段】
【０００７】
本発明は、便器本体と、前記便器本体の上方に配置される洗浄水タンクと、前記洗浄水タンクの内部に配置され、上部に開口部を有するオーバーフロー管と、前記開口部の一方側の斜め上方から前記オーバーフロー管の内部に補給水を供給する補給水供給部と、前記オーバーフロー管の前記開口部を開閉する蓋部材を有する開閉装置と、を備える便器洗浄装置であって、前記開閉装置は、前記洗浄水タンクの内部に貯留された水の水位が所定水位を上回ったときに前記蓋部材が前記開口部を開放する開状態となり、前記洗浄水タンクの内部に貯留された水の水位が所定水位を下回ったときに前記蓋部材が前記開口部を閉鎖する閉状態となり、前記開閉装置が前記開状態のときは、前記開閉装置の前記蓋部材は、前記開口部の前記一方側とは反対側の他方側に位置する便器洗浄装置に関する。
【０００８】
また、前記開閉装置が前記開状態のときに、前記蓋部材は、前記一方側が上方に位置するように傾斜して配置されることが好ましい。
【０００９】
また、前記開閉装置は、前記洗浄水タンクの内部に貯留された水の水位に連動して前記オーバーフロー管の軸方向に移動可能なフロート部材と、前記蓋部材と前記フロート部材とを連結する連結部材と、を更に有し、前記蓋部材は、回動軸を中心に回動可能に構成され、前記連結部材は、前記フロート部材の上昇により、前記蓋部材が前記開口部の前記一方側を開放する開状態になるように、前記蓋部材を前記回動軸を中心に回動させ、前記フロート部材の下降により、前記蓋部材が前記開口部の前記一方側を閉鎖する閉状態になるように、前記蓋部材を前記回動軸を中心に回動させることが好ましい。
【００１０】
また、前記開閉装置が前記開状態のときに、前記蓋部材における傾きの角度を規制する規制部を備えることが好ましい。
【発明の効果】
【００１１】
本発明によれば、オーバーフロー管に供給する補給水の量を調整可能な構成を備え、高さ方向の設計の自由度を向上できると共に、補給水を供給する際の補給水の飛沫の飛散を低減できる便器洗浄装置を提供することができる。
【図面の簡単な説明】
【００１２】
【図１】本発明の一実施形態に係る便器洗浄装置１００の斜視図である。
【図２】本発明の洗浄水タンク３０の内部の主な構成を示す断面図である。
【図３】本発明のオーバーフロー管９０及び開閉装置９５を示す斜視図である。
【図４】開閉装置９５が閉状態である場合を示す断面図である。
【図５】開閉装置９５が開状態である場合を示す断面図である。
【図６】大洗浄モード及び小洗浄モードを実行した場合における開閉装置９５の動作を説明する図である。
【発明を実施するための形態】
【００１３】
以下、本発明の便器洗浄装置１００の好ましい一実施形態について、図面を参照しながら説明する。
まず、本発明の一実施形態に係る便器洗浄装置１００の全体構成について、図１及び図２を参照しながら説明する。
【００１４】
本実施形態の便器洗浄装置１００は、図１及び図２に示すように、便器１０と、ベースプレート２０と、洗浄水タンク３０と、手洗い部４０と、タンクカバー５０と、電動洗浄装置１１０及び手動洗浄装置１２０含む洗浄動作機構と、給水装置６０と、オーバーフロー管９０及び開閉装置９５を含む排水調整機構と、を備える。
【００１５】
便器１０は、便器本体１１と、この便器本体１１の上部に便器本体１１に対して開閉可能に取り付けられる便座１２及び便蓋１３と、を含んで構成される。
【００１６】
ベースプレート２０は、便器本体１１の後方の上面に取り付けられる。ベースプレート２０の上方には、洗浄水タンク３０が配置される。
【００１７】
手洗い部４０は、洗浄水タンク３０の上方に配置される。手洗い部４０は、手洗いボウル部４１と、手洗い吐水管４２と、を備える。
【００１８】
手洗いボウル部４１は、タンクカバー５０における上部カバー部５１（後述）の一部により構成される。手洗いボウル部４１は、手洗い吐水管４２から吐出される手洗い水を受ける。この手洗いボウル部４１の底部には、排水口（図示せず）が形成されている。
【００１９】
手洗い吐水管４２は、手洗いボウル部４１の背部側の前面から前方に突出するように配置される。この手洗い吐水管４２の先端部は、下方に開口している。
【００２０】
以上の手洗い部４０には、洗浄水タンク３０に供給される洗浄水の一部が、手洗い側給水管（図示せず）を介して手洗い吐水管４２に供給される。これにより、給水装置６０の動作により洗浄水タンク３０に洗浄水が貯留される場合に、この貯留される洗浄水の一部が手洗い吐水管４２から吐出される。
また、手洗い部４０から排出される排水は、手洗い側排水管（不図示）を介して洗浄水タンク３０に排出される。
【００２１】
タンクカバー５０は、洗浄水タンク３０を覆うように、洗浄水タンク３０に被せられる。タンクカバー５０は、上部カバー部５１と、下部カバー部５２と、を有する。タンクカバー５０は、上部カバー部５１と下部カバー部５２とが、例えば、樹脂材料により一体的に成型されることで形成される。
【００２２】
上部カバー部５１は、手洗い部４０の手洗いボウル部４１を含んで構成される。上部カバー部５１は、タンクカバー５０の上部に配置され、タンクカバー５０の上部を塞ぐように形成される。
下部カバー部５２は、方形筒状に形成される。下部カバー部５２は、洗浄水タンク３０の周囲を囲むように形成される。
【００２３】
洗浄水タンク３０は、ベースプレート２０の上方において、便器１０の後方かつ上方に配置され、便器本体１１を洗浄する洗浄水を貯留する。この洗浄水タンク３０は、図２に示すように、上面が開口したタンク本体３１と、このタンク本体３１の上面に配置され、タンク本体３１の上面を覆う蓋部３２と、を備える。
【００２４】
タンク本体３１は、図２に示すように、上面が開口して形成され、底部３１１と、底部３１１から起立して周囲を囲むように形成される周壁３１２と、を備える。
【００２５】
底部３１１には、洗浄水タンク３０に貯留された洗浄水を便器１０に放出する放出口３１３が形成される。放出口３１３は、洗浄水供給管３３に連通する開口である。洗浄水供給管３３には、便器１０に供給される洗浄水が流通する。洗浄水供給管３３は、洗浄水タンク３０に貯留された洗浄水を、便器１０に供給する。
【００２６】
放出口３１３には、図２に示すように、排水弁３１４が配置される。排水弁３１４は、洗浄水タンク３０の放出口３１３を開閉する。
排水弁３１４は、内部に形成される空気室３１４ａと、空気抜き弁３１４ｂと、を備える。空気抜き弁３１４ｂは、排水弁３１４の上部の略中央に設けられる。空気抜き弁３１４ｂは、空気室３１４ａを開閉可能に構成される。
【００２７】
本実施形態においては、後述するように、大量の洗浄水で便器１０の洗浄を行う大洗浄モードと、小量の洗浄水で便器１０の洗浄を行う小洗浄モードと、を実行可能である。
空気抜き弁３１４ｂを閉状態として空気室３１４ａに空気を保持させた状態で、排水弁３１４を開状態にすることで大洗浄モードによる洗浄を実行することができる。空気抜き弁３１４ｂを開状態として空気室３１４ａに水を流入させた状態で、排水弁３１４を閉状態にすることで小洗浄モードによる洗浄を実行することができる。
【００２８】
排水弁３１４には、第１電動洗浄用取付部３１５ａと、第２電動洗浄用取付部３１５ｂと、手動洗浄用取付部３１５ｃと、が設けられる。
ここで、本実施形態においては、便器洗浄装置１００を正面から視た場合の左側（一方側）を「左側」といい（図２の紙面の左側）、便器洗浄装置１００を正面から視た場合の右側（他方側）を「右側」という（図２の紙面の右側）。
【００２９】
第１電動洗浄用取付部３１５ａは、電動洗浄で大洗浄モードを実行する場合に引き上げられる第１玉鎖１１３が取り付けられる部分である。第１電動洗浄用取付部３１５ａは、排水弁３１４の上面の右側の端部側に配置される。
第２電動洗浄用取付部３１５ｂは、電動洗浄で小洗浄が実行される場合に引き上げられる第２玉鎖１１４が取り付けられる部分である。第２電動洗浄用取付部３１５ｂは、排水弁３１４の上部に設けられた空気抜き弁３１４ｂの上面に配置される。
手動洗浄用取付部３１５ｃは、手動洗浄が実行される場合に引き上げられる第３玉鎖１２２が取り付けられる部分である。手動洗浄用取付部３１５ｃは、排水弁３１４の上面の左側の端部側に配置される。
【００３０】
洗浄水タンク３０には、洗浄動作機構が設けられる。洗浄動作機構は、電動洗浄装置１１０と、手動洗浄装置１２０と、を備える。
電動洗浄装置１１０は、便器本体１１の洗浄を電動で行う装置である。電動洗浄装置１１０は、洗浄水タンク３０の内部の右側に配置される。電動洗浄装置１１０は、駆動部としての電動式のアクチュエータ１１１と、アクチュエータ１１１に接続される電動用軸部材１１２と、第１玉鎖１１３と、第２玉鎖１１４と、を有する。
【００３１】
電動用軸部材１１２は、洗浄水タンク３０の内部の左側の上方において、水平方向に延びるように配置される。電動用軸部材１１２は、アクチュエータ１１１に接続されている。電動用軸部材１１２は、アクチュエータ１１１の駆動力により回転する。
【００３２】
第１玉鎖１１３は、大洗浄用の玉鎖である。第１玉鎖１１３は、電動用軸部材１１２と排水弁３１４とを接続する。第１玉鎖１１３の一端は、電動用軸部材１１２に接続される。第１玉鎖１１３の他端は、排水弁３１４の第１電動洗浄用取付部３１５ａに接続される。
第２玉鎖１１４は、小洗浄用の玉鎖である。第２玉鎖１１４は、電動用軸部材１１２と排水弁３１４とを接続する。第２玉鎖１１４の一端は、電動用軸部材１１２に接続される。第２玉鎖１１４の他端は、排水弁３１４の第２電動洗浄用取付部３１５ｂに接続される。
【００３３】
電動洗浄装置１１０は、例えば、リモコン操作部（図示せず）を操作することで、大量の洗浄水で便器１０の洗浄を行う大洗浄モードと、小量の洗浄水で便器１０の洗浄を行う小洗浄モードと、を操作することができる。具体的には、リモコン操作部を操作することで、図２に示すように、電動式のアクチュエータ１１１を動作させて、電動用軸部材１１２を回転させる。電動用軸部材１１２の回転方向の違いにより引き上げられる玉鎖が異なる。例えば、大洗浄モードが実行された場合には、電動用軸部材１１２が反時計方向に回転されて、第１玉鎖１１３が吊り上げられて、排水弁３１４が引き上げられる。小洗浄モードが実行された場合には、電動用軸部材１１２が時計方向に回転されて、第２玉鎖１１４が吊り上げられて、空気抜き弁３１４ｂが引き上げられた後に、排水弁３１４が引き上げられる。
【００３４】
手動洗浄装置１２０は、便器本体１１の洗浄を手動で行う（操作する）装置である。手動洗浄装置１２０は、洗浄水タンク３０の内部の左側に配置される。手動洗浄装置１２０は、手動用軸部材１２１と、第３玉鎖１２２と、手動洗浄用フロート１２３と、筒体１２４と、洗浄操作レバーハンドル８１と、を有する。
【００３５】
手動用軸部材１２１は、洗浄水タンク３０の内部の左側の上方において、水平方向に延びるように配置される。手動用軸部材１２１は、複数の部材が水平方向に連結されて形成される。手動用軸部材１２１は、洗浄水タンク３０の内部における給水装置６０が配置される部分の近傍において、便器洗浄装置１００の左右方向の略中央から左端まで、延びるように形成される。
【００３６】
第３玉鎖１２２は、手動洗浄用の玉鎖である。第３玉鎖１２２の一端は、手動用軸部材１２１に接続される。第３玉鎖１２２の他端は、排水弁３１４の手動洗浄用取付部３１５ｃに接続される。
【００３７】
手動洗浄用フロート１２３は、環状に形成され、環状の開口には、第３玉鎖１２２が挿通される。手動洗浄用フロート１２３は、洗浄水タンク３０に貯留された洗浄水の水位に応じて、第３玉鎖１２２に沿って上下方向にスライド移動が可能に構成される。
筒体１２４には、手動洗浄用フロート１２３と排水弁３１４との間に配置され、第３玉鎖１２２が挿通される。
洗浄操作レバーハンドル８１は、タンクカバー５０の左側の外側において、手動用軸部材１２１の左端に取り付けられる。
【００３８】
本実施形態においては、手動洗浄装置１２０は、大洗浄モードの洗浄のみを実行可能である。本実施形態の手動洗浄装置１２０においては、大洗浄の場合に所定の水量の洗浄水で洗浄が行われるように、排水弁３１４が開弁されると、手動洗浄用フロート１２３に作用する浮力を利用して、排水弁３１４の開弁状態を維持させて、排水時間を一定時間維持するように構成される。
【００３９】
なお、本実施形態においては、手動操作用の洗浄操作レバーハンドル８１を洗浄水タンク３０（便器洗浄装置１００）の左側に設けたが、これに限らない。手動操作用の洗浄操作レバーハンドルを洗浄水タンク３０（便器洗浄装置１００）の右側に設けてもよい。
【００４０】
本実施形態においては、図２に示すように、洗浄水タンク３０の右側には、電動洗浄装置１１０が設けられている。電動洗浄装置１１０は、電動式のアクチュエータ１１１に接続される電動用軸部材１１２の他に、電動用軸部材１１２と同軸上に配置される右側手動用軸部材１１５を有する。右側手動用軸部材１１５は、電動用軸部材１１２と一体的に回転可能に構成される。ここで、右側手動用軸部材１１５を便器洗浄装置１００の右側の外側まで延長する軸を設けて、便器洗浄装置１００の右側において、右側用の手動操作用の洗浄操作レバーハンドルを設けてもよい。この場合には、右側用の手動操作用の洗浄操作レバーハンドルを操作することで、右側手動用軸部材１１５及び電動用軸部材１１２が一体的に回転されるため、電動式のアクチュエータ１１１で動作する場合と同様に、手動の操作で、大洗浄モード及び小洗浄モードにおける洗浄動作を行うことができる。
【００４１】
洗浄水タンク３０の内部には、図２に示すように、給水装置６０が配置される。給水装置６０は、洗浄水タンク３０の左側に配置される。給水装置６０は、給水管（図示せず）と、流動操作機構７０と、第１吐出部６２と、第２吐出部６３と、開弁遅延機構部６４と、を備える。
【００４２】
給水管（図示せず）は、外部の給水源（図示せず）から、洗浄水を洗浄水タンク３０の内部に給水する。給水管は、タンク本体３１の上方において、タンク本体３１の周壁３１２を貫通して、洗浄水タンク３０の外部と内部とを連通する。
【００４３】
第１吐出部６２及び第２吐出部６３は、給水管から分岐し、洗浄水タンク３０の内部に水を吐出する。具体的には、第１吐出部６２は、洗浄水タンク３０に貯留するための水を吐出する。第２吐出部６３は、洗浄水タンク３０の内部に配置されたオーバーフロー管９０に向けて水を吐出する。オーバーフロー管９０に吐出された水は、便器１０に補給水として供給される。
【００４４】
流動操作機構７０は、給水管（図示せず）における給水弁６１が設けられる部分に接続される。流動操作機構７０は、開状態において少量の水を給水管に流通させる流動弁（図示せず）と、流動弁を開閉させる操作ケーブル７３と、この操作ケーブル７３を操作する操作ダイヤル部７１と、を備える。
【００４５】
操作ダイヤル部７１は、ベースプレート２０の下方に位置するように、取り付けられている。操作ダイヤル部７１は、後述する給水装置６０から洗浄水を洗浄水タンク３０に給水する給水流路部（図示せず）を流通する水の流れを調整する操作を行うことができる。
【００４６】
流動操作機構７０は、操作ダイヤル部７１を操作して流動弁（図示せず）を開状態にすることで、給水弁６１が閉状態の場合においても流動弁を介して少量の水を給水管に流通させる。これにより、例えば、寒冷地等の冬季に給水部の凍結のおそれがある地域において、少量の水を連続的に流通させられるので、給水装置６０の凍結を防げる。
【００４７】
開弁遅延機構部６４は、図２に示すように、タンク本体３１に設けられる。開弁遅延機構部６４は、給水弁６１と、節水タンク６５と、フロート部材６６と、操作アーム部材６７と、浮き閉止部材６８と、を備える。
【００４８】
節水タンク６５は、図２に示すように、底部連通孔（図示せず）が形成された底部６５１を有し、一方の側部の上方側の部分が側方に向けて開放し且つ上方が開放した方形筒状に形成される。節水タンク６５の内部には、洗浄水が貯留される。節水タンク６５の内部には、フロート部材６６のフロート部６６１が配置される。節水タンク６５に貯留された洗浄水の水位が上下することに連動して、フロート部材６６は、上下方向に移動する。
【００４９】
浮き閉止部材６８は、節水タンク６５の底部連通孔（図示せず）に配置される。浮き閉止部材６８は、浮力を有しており、洗浄水タンク３０に貯留される洗浄水の水位に連動して上下方向に移動する。洗浄水タンク３０に貯留される洗浄水の水位が節水タンク６５の底部６５１の高さよりも高い場合には、浮き閉止部材６８が浮力により浮き上がって、節水タンク６５の底部連通孔が浮き閉止部材６８により閉止される。洗浄水タンク３０に貯留される洗浄水の水位が節水タンク６５の底部６５１の高さよりも低い場合には、浮き閉止部材６８が下降して、底部連通孔（不図示）と浮き閉止部材６８との間に隙間が形成される。
【００５０】
フロート部材６６は、節水タンク６５に貯留された洗浄水の水位に連動して上下方向に移動する。節水タンク６５に貯留された洗浄水は、洗浄水タンク３０の内部に貯留される洗浄水の水位に連動して上下方向に移動する。そのため、フロート部材６６は、洗浄水タンク３０の内部に貯留される洗浄水の水位に連動して上下方向に移動する。フロート部材６６は、フロート部６６１と、フロート側アーム部６６２と、を有する。
【００５１】
フロート部６６１は、節水タンク６５の内部に配置される。フロート部６６１は、上部が閉鎖されかつ下部が開放する方形箱状に形成される。
フロート側アーム部６６２は、フロート部６６１の上部に接続される。フロート側アーム部６６２は、上下方向に延びる。
【００５２】
操作アーム部材６７は、給水弁６１とフロート部材６６とを接続する。操作アーム部材６７は、フロート側アーム部６６２が延びる上下方向に交差する方向に延びて形成される。操作アーム部材６７は、先端部側が、フロート側アーム部６６２の上端側の貫通穴に挿入されることで、図２に示すように、フロート側アーム部６６２に係合可能に構成される。操作アーム部材６７は、フロート部材６６の上下方向の移動に連動して移動する。
【００５３】
以上の開弁遅延機構部６４によれば、洗浄水タンク３０に貯留された洗浄水の水位に応じて、給水弁６１の開閉を操作して、給水管（図示せず）から洗浄水タンク３０へ流入する洗浄水の給水を開始又は停止させる。具体的には、フロート部材６６が節水タンク６５の内部の所定位置より下方に移動することで、操作アーム部材６７が揺動されて、給水弁６１が開状態となり、洗浄水タンク３０への給水が行われる。また、フロート部材６６が節水タンク６５の内部において所定位置より上方に移動することで、操作アーム部材６７が揺動されて、給水弁６１が閉状態となり、洗浄水タンク３０への給水が停止される。
【００５４】
排水調整機構は、オーバーフロー管９０と、開閉装置９５と、を備える。オーバーフロー管９０及び開閉装置９５は、洗浄水タンク３０の内部に配置される。
洗浄水タンク３０のタンク本体３１の内部には、図２に示すように、オーバーフロー管９０が設けられている。オーバーフロー管９０は、上部に開口部９１ａを有する。開口部９１ａは、オーバーフロー管９０の上端には、洗浄水タンク３０に貯留される洗浄水の水位の上限に合わせた高さで開口する。
【００５５】
オーバーフロー管９０の開口部９１ａの斜め上方には、第２吐出部６３が配置される。第２吐出部６３は、オーバーフロー管９０の開口部９１ａの斜め上方（一方側）から、オーバーフロー管９０の開口部９１ａに補給水を吐出し、オーバーフロー管９０の内部に補給水を供給する。
【００５６】
オーバーフロー管９０は、図３〜図５に示すように、開口部構成部９１と、管本体９２と、を有する。管本体９２は、鉛直方向に延び、円筒状に形成される。開口部構成部９１は、管本体９２の上端部に接続される。
【００５７】
開口部構成部９１は、オーバーフロー管９０の上端部を構成し、上方に開口する開口部９１ａを形成する。開口部構成部９１は、管本体９２の上端部から上方に延びる。開口部構成部９１は、管本体９２の上端部からオーバーフロー管９０の上端部までの間において、第２吐出部６３側に開口面積が徐々に広くなる管状に形成される。開口部構成部９１は、洗浄水タンク３０を正面から視た場合に、上辺の長さが下辺の長さよりも長い台形形状に形成される。
【００５８】
開口部構成部９１の上端には、開口部９１ａが形成される。開口部９１ａは、上方から視た場合に、管本体９２の開口よりも、第２吐出部６３側に長く形成される。
【００５９】
開口部９１ａには、第２吐出部６３から補給水が供給される。第２吐出部６３は、開口部９１ａの左側の斜め上方に配置される。第２吐出部６３は、洗浄水タンク３０の内部に配置されたオーバーフロー管９０の開口部９１ａに向けて水を吐出する。オーバーフロー管９０に吐出された水は、便器１０に補給水として供給される。
オーバーフロー管９０の下端側は、放出口３１３に連通している。
【００６０】
オーバーフロー管９０の上方側には、図３〜図５に示すように、開閉装置９５が配置される。
開閉装置９５は、オーバーフロー管９０の開口部９１ａを開閉する。開閉装置９５は、開閉フロート部材９６と、開閉蓋部材９８と、連結部材９７と、を有する。
開閉装置９５においては、開閉フロート部材９６の上下方向の移動に連動して、開閉蓋部材９８が、オーバーフロー管９０の開口部９１ａを開閉する。
【００６１】
開閉フロート部材９６は、開閉装置９５の下方に配置される。開閉フロート部材９６は、洗浄水タンク３０の内部に貯留される洗浄水の水位に連動して上下方向に移動する。開閉フロート部材９６は、上下方向に移動可能に、オーバーフロー管９０の管本体９２に取り付けられる。開閉フロート部材９６は、洗浄水タンク３０の内部に貯留された水の水位に連動してオーバーフロー管９０の管本体９２の軸方向に移動する。開閉フロート部材９６は、開閉装置９５の下方に配置されるため、第２吐出部６３から吐出される補給水には直接は当たらない。そのため、開閉フロート部材９６は、上下方向にスムーズに移動される。
【００６２】
開閉フロート部材９６は、一対の開閉フロート部９６１，９６１と、一対の開閉フロート部９６１，９６１を接続する接続部９６２と、ガイド筒９６３と、を有する。
【００６３】
一対の開閉フロート部９６１，９６１は、オーバーフロー管９０の管本体９２を跨いで水平方向に並んで配置されている。一対の開閉フロート部９６１，９６１は、互いに接続部９６２により接続されている。接続部９６２の内側には、ガイド筒９６３が連結されている。
【００６４】
ガイド筒９６３は、オーバーフロー管９０の管本体９２の外周面に沿った筒状に形成される。ガイド筒９６３は、オーバーフロー管９０の管本体９２の軸方向に沿って上下方向に移動可能に構成される。ガイド筒９６３は、外側に連結された接続部９６２に接続された一対の開閉フロート部９６１，９６１の上下方向の移動をガイドする。
【００６５】
ガイド筒９６３の内面には、オーバーフロー管９０の管本体９２の軸方向に延びるガイド凹部９６２ａが形成されている。ガイド凹部９６２ａは、オーバーフロー管９０の管本体９２の外面に形成されたガイド凸状部９２１に沿って移動する。
【００６６】
オーバーフロー管９０の管本体９２の外面には、ガイド凸状部９２１と、規制部としての規制凸部９２２と、が形成される。
ガイド凸状部９２１は、オーバーフロー管９０の管本体９２の表面において、オーバーフロー管９０の管本体９２の軸方向に沿って延びる。
規制凸部９２２は、水平方向に延びており、ガイド凸状部９２１の上端部に接続される。規制凸部９２２は、ガイド筒９６３の上面に当接して、上下方向の所定位置よりも上方側への開閉フロート部材９６の移動を規制する。
【００６７】
開閉蓋部材９８は、開閉フロート部材９６の上下方向への移動に連動して、オーバーフロー管９０の開口部９１ａを開閉する。
本実施形態では、開閉装置９５の開状態（図５参照）とは、第２吐出部６３から吐水される補給水がオーバーフロー管９０の開口部９１ａに入るように、開閉蓋部材９８が開口部９１ａを開放している場合である。開閉装置９５の閉状態（図４参照）とは、第２吐出部６３から吐水される補給水がオーバーフロー管９０の開口部９１ａに入らないように、開閉蓋部材９８が開口部９１ａを閉鎖している場合である。
なお、開閉蓋部材９８は、オーバーフロー管９０の開口部９１ａの全体を開閉しなくてもよい。開閉蓋部材９８は、第２吐出部６３から吐水される補給水がオーバーフロー管９０の開口部９１ａに入るように又は入らないように、オーバーフロー管９０の開口部９１ａの一部又は全部を開閉するように構成される。
【００６８】
開閉装置９５は、洗浄水タンク３０の内部に貯留された水の水位が所定水位を上回ったときに、開閉蓋部材９８がオーバーフロー管９０の開口部９１ａを開放する開状態となり、洗浄水タンク３０の内部に貯留された水の水位が所定水位を下回ったときに開閉蓋部材９８がオーバーフロー管９０の開口部９１ａを閉鎖する閉状態となる。
【００６９】
開閉蓋部材９８は、複数の板状の部材が組み合わされて構成され、基端側上面板９８１と、開閉側上面板９８２と、一対の基端側側面板９８４，９８４と、一対の開閉側側面板９８３，９８３と、を有する。
【００７０】
基端側上面板９８１及び開閉側上面板９８２は、オーバーフロー管９０の上方において、オーバーフロー管９０の開口部９１ａが延びる方向に連続して形成される。
基端側上面板９８１は、オーバーフロー管９０の上方において、第２吐出部６３と反対側に配置される。開閉側上面板９８２は、オーバーフロー管９０の上方において、第２吐出部６３側に配置される。開閉側上面板９８２は、第２吐出部６３側が上方に位置して、基端側上面板９８１側に下るように傾斜して形成される。
【００７１】
一対の基端側側面板９８４，９８４は、それぞれ、基端側上面板９８１の幅方向の端部に接続され、下方側に延びる板状に形成される。一対の基端側側面板９８４，９８４は、基端側上面板９８１の幅方向に対向して配置される。一対の基端側側面板９８４，９８４は、それぞれ、開閉回動軸部９８４ａの回動軸を中心に回動可能に構成される。開閉回動軸部９８４ａは、一対の基端側側面板９８４，９８４を回動可能に支持した状態で、オーバーフロー管９０の開口部構成部９１の側面に設けられる。開閉蓋部材９８は、オーバーフロー管９０に設けられた開閉回動軸部９８４ａを中心に回動可能に構成される。
【００７２】
一対の開閉側側面板９８３，９８３は、それぞれ、開閉側上面板９８２の幅方向の端部に接続され、下方側に延びる板状に形成される。一対の開閉側側面板９８３，９８３は、それぞれ、基端側上面板９８１の幅方向に対向して配置される。一対の開閉側側面板９８３，９８３は、それぞれ、基端側上面板９８１の幅方向の外側に突出する突起部９８３ａを有する。
【００７３】
一対の連結部材９７，９７は、開閉フロート部材９６及び開閉蓋部材９８の側部の両側において、開閉フロート部材９６と開閉蓋部材９８とを連結する。連結部材９７は、側面視で、方形状に形成される。
連結部材９７は、下部側において、開閉フロート部材９６に固定される。
連結部材９７は、上部側において、第２吐出部６３側が上方に位置するように傾斜して直線状に延びるガイド溝孔９７１が形成される。ガイド溝孔９７１には、開閉蓋部材９８の開閉側側面板９８３，９８３の突起部９８３ａが挿入される。開閉蓋部材９８の開閉側側面板９８３，９８３の突起部９８３ａは、ガイド溝孔９７１に沿って移動可能に構成される。
【００７４】
一対の連結部材９７，９７は、開閉フロート部材９６の上昇により、ガイド溝孔９７１に沿って開閉蓋部材９８の突起部９８３ａを移動させて、オーバーフロー管９０の開口部９１ａの第２吐出部６３側（一方側）を開閉蓋部材９８が開放する開状態になるように、開閉蓋部材９８を開閉回動軸部９８４ａの回動軸を中心に回動させる。また、一対の連結部材９７，９７は、開閉フロート部材９６の下降により、ガイド溝孔９７１に沿って開閉蓋部材９８の突起部９８３ａを移動させて、オーバーフロー管９０の開口部９１ａの第２吐出部６３側（一方側）を開閉蓋部材９８が閉鎖する閉状態になるように、開閉蓋部材９８を開閉回動軸部９８４ａの回動軸を中心に回動させる。
【００７５】
以上の開閉装置９５によれば、開閉フロート部材９６の上下方向の移動に連動して、開閉蓋部材９８が、オーバーフロー管９０の開口部９１ａを開閉する。
開閉フロート部材９６は、洗浄水タンク３０の内部に貯留された水の水位が変化すると、上下方向に移動する。
洗浄水タンク３０の内部に貯留された水の水位が上昇すると、開閉フロート部材９６が上昇する。これにより、開閉フロート部材９６に連結された連結部材９７が上昇する。
そして、連結部材９７が上昇することで、連結部材９７に形成されたガイド溝孔９７１に挿入された突起部９８３ａが、ガイド溝孔９７１に沿って移動し、開閉蓋部材９８は、開閉回動軸部９８４ａを中心に回動する。これにより、開閉装置９５は、開状態となる。
開閉装置９５が開状態のときは、開閉蓋部材９８は、オーバーフロー管９０の開口部９１ａの第２吐出部６３側とは反対側に位置する。開閉装置９５が開状態のときには、開口部９１ａの第２吐出部６３側とは反対側（他方側）は、基端側上面板９８１と一対の基端側側面板９８４，９８４とで囲まれている。
【００７６】
ここで、開閉装置９５が閉状態の場合の開閉蓋部材９８の位置関係について説明する。
図４に示すように、開閉装置９５が閉状態の場合において、基端側上面板９８１は、水平方向に延びて配置される。基端側上面板９８１は、開口部９１ａの上部において、上方から視た場合に、開口部９１ａと重なるように延びている。
【００７７】
開閉装置９５が閉状態の場合において、開閉側上面板９８２は、第２吐出部６３からの補給水を遮蔽するように、上方から視た場合に、開口部９１ａと重なるように延びている。開閉側上面板９８２は、図４に示すように、第２吐出部６３側からオーバーフロー管９０側に下るように傾斜して配置される。本実施形態においては、開閉側上面板９８２の上面の傾斜角度は、開閉蓋部材９８が閉状態の場合には、第２吐出部６３から補給水が吐出する傾斜角度と略同じ角度である。
なお、本実施形態においては、開閉側上面板９８２のみを傾斜させているが、これに限らない。例えば、基端側上面板９８１を傾斜させてもよい。また、例えば、開閉蓋部材９８を、開閉側上面板９８２、基端側上面板９８１、一対の開閉側側面板９８３，９８３、一対の基端側側面板９８４，９８４の一部又は全部を含めて曲面形状に形成してもよい。
【００７８】
また、開閉装置９５が開状態の場合の開閉蓋部材９８の位置関係について説明する。
図５に示すように、開閉装置９５が開状態の場合における開閉蓋部材９８は、開閉装置９５が閉状態の場合から、開閉回動軸部９８４ａを中心に上方側に回動する。
このため、開閉蓋部材９８は、開閉装置９５が閉状態のときよりも、第２吐出部６３側が上方に位置するように傾斜して配置される。
【００７９】
開閉装置９５が開状態の場合において、基端側上面板９８１は、第２吐出部６３側からオーバーフロー管９０側に下るように傾斜して配置される。基端側上面板９８１の右側の端部は、補給水の飛沫の外部への飛散を遮蔽するように、上方から視た場合に、開口部９１ａと重なるように延びている。開閉装置９５が開状態の場合においては、図５に示すように、開閉蓋部材９８が開口部９１ａを塞がない位置において、基端側上面板９８１は、第２吐出部６３側に向く面である裏面を備えている。第２吐出部６３側に向く基端側上面板９８１の裏面により、補給水の飛沫の外部への飛散を防止することができる。
【００８０】
開閉装置９５が開状態の場合において、開閉側上面板９８２は、第２吐出部６３からの補給水を遮蔽しないように、オーバーフロー管９０の開口部９１ａを開く。
開閉装置９５が開状態において、開閉側上面板９８２は、図５に示すように、開閉蓋部材９８が閉状態のときよりも、第２吐出部６３側が上方に位置するように傾斜する。そのため、開閉装置９５の開状態において、第２吐出部６３から吐出される補給水は、開閉側上面板９８２の第２吐出部６３側の端部に当たりにくく、オーバーフロー管９０の開口部９１ａに入りやすい。
【００８１】
次に、本実施形態に係る便器洗浄装置１００の動作について、洗浄水タンク３０に貯留された洗浄水を便器１０に放出（供給）する動作について説明する。
洗浄水タンク３０に洗浄水が貯留された状態で、例えば、リモコン操作部（図示せず）を操作することで、電動洗浄装置１１０は、大洗浄モード又は小洗浄モードを実行するように操作する。
【００８２】
例えば、大洗浄モードが実行された場合には、電動式のアクチュエータ１１１（図２参照）の駆動により、電動用軸部材１１２が反時計方向に回転することで、第１玉鎖１１３を吊り上げて、排水弁３１４を引き上げる。そのため、排水弁３１４は、放出口３１３を、大洗浄モードで設定した所定時間開放する。これにより、洗浄水タンク３０に貯留された洗浄水は、放出口３１３を介して便器１０に放出される。そして、洗浄水タンク３０に貯留される洗浄水の水位は下降する。
【００８３】
また、例えば、小洗浄モードが実行された場合には、電動式のアクチュエータ１１１（図２参照）の駆動により、電動用軸部材１１２が時計方向に回転することで、第２玉鎖１１４を介して、空気抜き弁３１４ｂを引き上げる。そして、空気室３１４ａに洗浄水を流入させる。その後、排水弁３１４を引き上げる。これにより、排水弁３１４が洗浄水の重さにより大洗浄モードで設定した所定時間よりも早く閉じる。よって、排水弁３１４は、放出口３１３を、大洗浄モードで設定した所定時間よりも短い時間開放する。これにより、洗浄水タンク３０に貯留された洗浄水は、放出口３１３を介して便器１０に放出される。そして、洗浄水タンク３０に貯留される洗浄水の水位は下降する。
【００８４】
これにより、洗浄水タンクに貯留された洗浄水は下降していく。洗浄水の水位は、節水タンク６５の開放側の上端部６５２までは、節水タンク６５の内部及び外部において、同じ高さで下降する。
【００８５】
洗浄水の水位が節水タンク６５の開放側の上端部６５２から節水タンク６５の底部６５１までの間においては、節水タンク６５の底部連通孔（図示せず）は、浮き閉止部材６８が浮力により上昇することで、浮き閉止部材６８により閉止されている。そのため、節水タンク６５の内部に貯留された洗浄水は、節水タンク６５の上端部の高さの水位で維持される。フロート部材６６は、洗浄水に浮いた状態であり、上下方向の位置が維持されている。
【００８６】
洗浄水の水位が節水タンク６５の底部６５１よりも低くなると、浮き閉止部材６８は、洗浄水の水位の低下と共に下降する。これにより、節水タンク６５の底部連通孔と浮き閉止部材６８との間には、隙間が形成される。そして、この隙間から、節水タンク６５の内部の洗浄水は、節水タンク６５の外部へ流れ出る。これにより、節水タンク６５の内部の洗浄水の水位が下降して、フロート部材６６が下降する。
【００８７】
フロート部材６６が下降すると、フロート側アーム部６６２に連結された操作アーム部材６７は揺動する。そして、フロート部材６６が節水タンク６５の内部の所定位置よりも下方に下降すると、給水弁６１を閉状態から開状態に作動させて、給水管（図示せず）は、洗浄水タンク３０へ洗浄水の給水を行う。
【００８８】
これにより、洗浄水タンク３０に貯留された洗浄水を放出口３１３を介して便器１０へ放出している間、洗浄水タンク３０には、給水管（図示せず）から新たな洗浄水が給水される。ここでは、洗浄水タンク３０に新たに給水された洗浄水についても、放出口３１３を介して便器１０へ放出される。
【００８９】
このように、排水弁３１４を開状態とした後において、給水弁６１を開状態とするまでの時間を遅延させることで、排水弁３１４を開状態とすると同時に給水弁６１を開状態とするよりも、便器１０へ放出（供給）する水を節水することができる。
【００９０】
その後、排水弁３１４が閉状態となることで、放出口３１３が閉じられ、洗浄水タンク３０の内部に貯留された洗浄水の便器１０への放出は停止する。
【００９１】
ここで、大洗浄モードの場合には、図６に示すように、排水弁３１４が閉状態となった状態では、洗浄水タンク３０の水位は、第１水位Ｈ１である。また、小洗浄モードの場合には、図６に示すように、排水弁３１４が閉状態となった状態では、洗浄水タンク３０の水位は、第２水位Ｈ２である。
小洗浄モードの実行後における排水弁３１４が閉じた状態の洗浄水の第２水位Ｈ２は、大洗浄モードの実行後における排水弁３１４が閉じた状態の洗浄水の第１水位Ｈ１よりも高い（第２水位Ｈ２＞第１水位Ｈ１）（図６参照）。
【００９２】
その後、給水管（図示せず）から洗浄水が供給される。洗浄水タンク３０の内部には、洗浄水が貯留されていく。そして、洗浄水タンク３０に貯留された洗浄水の水位は、徐々に上昇する。洗浄水の水位が節水タンク６５の底部６５１に達すると、浮き閉止部材６８が浮力により上昇して、底部連通孔は、浮き閉止部材６８により閉止される。これにより、節水タンク６５の内部に洗浄水が入らない状態で、洗浄水タンク３０における洗浄水の水位は上昇していく。
【００９３】
洗浄水の水位が節水タンク６５の開放側の上端部６５２まで上昇すると、節水タンク６５の内部には、洗浄水が流れ込む。そして、節水タンク６５の内部に貯留された洗浄水の水位は上昇する。これにより、節水タンク６５の内部に配置されたフロート部材６６は、節水タンク６５の底部６５１から上昇していく。そして、フロート部材６６の上方への移動により操作アーム部材６７が連動して上方へ揺動されることにより、給水弁６１は、開状態から閉状態に作動される。これにより、給水管（図示せず）による洗浄水タンク３０への給水が停止する。
【００９４】
次に、オーバーフロー管９０に補給水を供給する際の開閉装置９５の動作について、大洗浄モードの場合と小洗浄モードの場合とについて説明する。
ここで、洗浄水を便器１０に放出（供給）した後において、洗浄水タンク３０への洗浄水の供給の動作が実行される。第２吐出部６３からオーバーフロー管９０への補給水の供給の動作は、洗浄水タンク３０への洗浄水の供給の動作と同時に行われている。そのため、大洗浄モード及び小洗浄モードの実行後におけるオーバーフロー管９０への補給水の供給は、洗浄水タンク３０の水位が、大洗浄モードの実行後の第１水位Ｈ１又は小洗浄モードの実行後の第２水位Ｈ２から、洗浄水を便器１０に放出するのに必要な水位である基準水位ＨＫまでの間において行われている。
【００９５】
まず、大洗浄モードの場合について説明する。
リモコン操作部（図示せず）を操作することで、大洗浄モードを実行すると、第１玉鎖１１３が排水弁３１４を引き上げる。これにより、排水弁３１４が所定時間開放され、洗浄水タンク３０に貯留された洗浄水の水位は、図６に示すように、第１水位Ｈ１まで低下する。
その後、排水弁３１４が閉鎖した後に、洗浄水タンク３０には、洗浄水が供給される。これにより、洗浄水タンク３０には、洗浄水が供給され、洗浄水タンク３０の水位が上昇する。同時に、オーバーフロー管９０には、第２吐出部６３から補給水が供給される。
【００９６】
ここで、洗浄水タンク３０の水位が開始水位ＨＳまでの間は、洗浄水タンク３０の水位が開閉フロート部材９６まで達していないため、開閉フロート部材９６は移動しない。そのため、開閉装置９５は閉状態であり、第２吐出部６３からの吐出される補給水は、開閉蓋部材９８に遮蔽されて、オーバーフロー管９０の開口９１ｂには入らない。
【００９７】
図６に示すように、洗浄水タンク３０の水位が開始水位ＨＳよりも高くなると、開閉フロート部材９６が上昇して、開閉蓋部材９８が開閉回動軸部９８４ａを中心に回動して、開閉蓋部材９８は、第２吐出部６３側が上方に位置するように傾斜する。これにより、開閉装置９５は、開状態となる。開閉装置９５が開状態のときは、開閉蓋部材９８は、オーバーフロー管９０の開口部９１ａの第２吐出部６３側とは反対側に位置する。
【００９８】
開閉装置９５の開状態において、開閉フロート部材９６のガイド筒９６３の上部は、オーバーフロー管９０の管本体９２に形成された規制凸部９２２に当接する。そのため、規制凸部９２２は、開閉装置９５が開状態のときに、開閉蓋部材９８における傾斜角度を規制する。これにより、開閉装置９５の開状態において、開閉蓋部材９８は、オーバーフロー管９０の開口部９１ａが開放しすぎない所定の傾斜角度で、オーバーフロー管９０の開口部９１ａの上方側に位置する。これにより、開閉装置９５の開状態のときに、第２吐出部６３から吐出される補給水の飛沫が開閉蓋部材９８の裏面に当たりやすくなるため、第２吐出部６３から吐出される補給水における飛沫の飛散を低減することができる。
【００９９】
その後、洗浄水タンク３０の水位が上昇して、洗浄水タンク３０の水位が基準水位ＨＫに達すると、洗浄水の供給が停止されると共に、オーバーフロー管９０への第２吐出部６３からの補給水の供給が停止される。
【０１００】
次に、小洗浄モードの場合について説明する。
リモコン操作部（図示せず）を操作することで、小洗浄モードを実行すると、第２玉鎖１１４が空気抜き弁３１４ｂを引き上げた後に、排水弁３１４を引き上げる。これにより、排水弁３１４が所定時間開放され、洗浄水タンク３０に貯留された洗浄水の水位は、図６に示すように、第２水位Ｈ２まで低下する。この第２水位Ｈ２は、大洗浄モードを実行した場合の第１水位Ｈ１（図６参照）よりも高い水位である。
その後、排水弁３１４が閉鎖した後に、洗浄水タンク３０には、洗浄水が供給される。これにより、洗浄水タンク３０には、洗浄水が供給され、洗浄水タンク３０の水位が上昇する。同時に、オーバーフロー管９０には、第２吐出部６３から補給水が供給される。
【０１０１】
図６に示すように、洗浄水タンク３０の水位が開始水位ＨＳよりも高くなると、開閉装置９５は、開状態となる。また、洗浄水タンク３０の水位が基準水位ＨＫに達すると、洗浄水の供給が停止される。
小洗浄モードのその他の動作は、大洗浄モードの場合と同様であるため、その説明を省略する。
【０１０２】
大洗浄モードの場合と小洗浄モードとを比較すると、図６に示すように、洗浄を実行した後の水位について、大洗浄モードの第１水位は、小洗浄モードの第２水位よりも低い（第１水位＜第２水位）。
しかしながら、大洗浄モードの場合においても小洗浄モードの場合においても、開閉装置９５が開状態となる洗浄水タンク３０の開始水位ＨＳは、同じである。また、大洗浄モードの場合においても小洗浄モードの場合においても、洗浄水タンク３０の基準水位ＨＫも同じである。
従って、オーバーフロー管９０への補給水の供給の動作は、大洗浄モードの場合においても小洗浄モードの場合においても、洗浄水タンク３０の水位が、開始水位ＨＳから基準水位ＨＫまでの間実行される。そのため、大洗浄モードの場合においても小洗浄モードの場合においても、開閉装置９５の開状態の時間は同じであり、同じ量の補給水が、オーバーフロー管９０に供給される。
【０１０３】
以上説明した本実施形態の便器洗浄装置１００によれば、以下のような効果を奏する。
本実施形態の便器洗浄装置１００においては、洗浄水タンク３０の内部に配置され、上部に開口部９１ａを有するオーバーフロー管９０と、開口部９１ａの左側（一方側）の斜め上方からオーバーフロー管９０の内部に補給水を供給する第２吐出部６３と、オーバーフロー管９０の開口部９１ａを開閉する開閉蓋部材９８を有する開閉装置９５と、を備え、開閉装置９５は、洗浄水タンク３０の内部に貯留された水の水位が所定水位を上回ったときに開閉蓋部材９８が開口部９１ａを開放する開状態となり、洗浄水タンク３０の内部に貯留された水の水位が所定水位を下回ったときに開閉蓋部材９８が開口部９１ａを閉鎖する閉状態となり、開閉装置９５が開状態のときは、開閉装置９５の開閉蓋部材９８は、開口部９１ａの左側（一方側）とは反対側の右側（他方側）に位置する。
【０１０４】
開閉装置９５が開状態のときは、開閉蓋部材９８は、第２吐出部６３とは反対側に位置する。そのため、第２吐出部６３から供給する補給水を、開口部９１ａの斜め上方から供給できる。これにより、オーバーフロー管９０の開口部９１ａの真上から補給水を供給するよりも、洗浄水タンク３０の高さを低くすることができる。これにより、高さ方向の設計の自由度を向上できる。また、開閉蓋部材９８を第２吐出部６３とは反対側に位置させることで、第２吐出部６３から供給する補給水の飛沫の飛散を開閉蓋部材９８でガードすることで、第２吐出部６３から供給する補給水の飛沫の飛散を低減することができる。
【０１０５】
また、本実施形態においては、開閉装置９５が開状態のときに、開閉蓋部材９８は、一方側が上方に位置するように傾斜して配置される。これにより、開閉装置９５は、第２吐出部６３側を開放しやすくなる。よって、第２吐出部６３から供給される補給水を、オーバーフロー管９０の開口部９１ａに導きやすい。従って、オーバーフロー管９０の開口部９１ａに、補給水を安定して供給することができる。
【０１０６】
また、本実施形態においては、開閉装置９５が開状態のときに、開閉蓋部材９８における傾きの角度を規制する規制凸部９２２を備える。これにより、第２吐出部６３から吐出される補給水の飛沫が開閉蓋部材９８の裏面に当りやすくなるため、第２吐出部６３から吐出される補給水における飛沫の飛散を低減することができる。
【０１０７】
以上、本発明の便器洗浄装置１００の好ましい一実施形態について説明したが、本発明は、上述した実施形態に制限されるものではなく、適宜変更が可能である。
【符号の説明】
【０１０８】
１１  便器本体
３０  洗浄水タンク
６３  第２吐出部（補給水供給部）
９０  オーバーフロー管
９１ａ  開口部
９５  開閉装置
９８  開閉蓋部材（蓋部材）
９２２  規制凸部（規制部）
【図１】
0006449730.tif 000002
【図２】
0006449730.tif 000003
【図３】
0006449730.tif 000004
【図４】
0006449730.tif 000005
【図５】
0006449730.tif 000006
【図６】
0006449730.tif 000007